(57)【特許請求の範囲】
【請求項１】
遊技球を左右方向に転動させるための転動部を備える遊技機であって、
前記転動部は、
前記遊技球の転動通路を形成し、前後方向に並設された少なくとも二つの前側転動面及び後側転動面と、
前記前側転動面における転動方向の中央付近に形成されるとともに、前方に向って上り傾斜した傾斜面からなり、前記前側転動面から遊技球を排出可能な排出部と
を備え、
転動方向における前記転動部の中央付近では、前記後側転動面が前記前側転動面よりも高くなり、
前記転動部の端部付近では、前記前側転動面が前記後側転動面よりも高くなり、
前記排出部における前記転動通路の幅が、前記遊技球の半径よりも狭く、且つ他の部分における前記転動通路の幅よりも狭くなっている
ことを特徴とする遊技機。
【発明の詳細な説明】
【０００１】
【発明の属する技術分野】
本発明は、パチンコ遊技機等の遊技機に関するものである。
【０００２】
【従来の技術】
従来、パチンコ機の遊技盤においては、遊技盤のほぼ中央に表示器を備えたセンターフレームが配設されている。そして、近年、遊技者に対して遊技球の挙動を楽しませるため、センターフレームの下方に転動部（一般にステージとも言う）を形成し、遊技球を左右方向に転動させるようにしたものがある。また、転動方向における転動部の略中央部分には遊技球を排出させるための排出部が形成されている。なお、一般に転動部における転動面の幅は、遊技球が転動中に転動面から容易に逸脱しないように転動に必要な十分なスペースを確保するようになっている。
【０００３】
【発明が解決しようとする課題】
しかしながら、上記の遊技機では、限られたスペースの中で転動面を形成するため、転動面を複雑な形状にしようとしても設計上の制約を受けることがあり、遊技球の挙動を十分に楽しませることができず、興趣を低下させる恐れがあった。
【０００４】
そこで、本発明の課題は、転動部の設計上の自由度を高めることができるとともに、興趣を飛躍的に向上させることができる遊技機を提供することにある。
【０００５】
【課題を解決するための手段】
前記課題を解決するための手段１は、遊技球を左右方向に転動させるための転動部を備える遊技機であって、前記転動部は、前記遊技球の転動通路を形成する転動面と、該転動面の途中に設けられた排出部とを具備し、前記排出部における前記転動通路の幅が、他の部分における前記転動通路の幅よりも狭くなっていることを特徴とする。
【０００６】
前記手段１によると、遊技球は転動面上（転動通路）を左右方向に転動する。ここで、排出部における転動通路は他の部分よりも狭いため、少なくとも排出部の前方のスペースが増える。このため、設計の自由度が拡張され、例えば排出部から排出された遊技球に別の動きをさせるための機構や構造を配設することが可能になる。なお、排出部以外の転動通路の幅は排出部よりも広く、従来の遊技機と同等の広さが確保されるため、遊技球の逸脱を抑制することが可能である。
【０００７】
手段２は、前記手段１の構成に加え、前記排出部の幅が、前記遊技球の直径よりも狭くなっていることを特徴とする。特に、前記排出部の幅が、前記遊技球の半径よりも狭くなっていることが好ましい。
【０００８】
前記手段２によると、遊技球の速度が低下した場合に、転動面の前縁から容易に排出させることができる。特に、排出部における転動通路の幅が遊技球の半径よりも狭い場合には、遊技球は排出部を通過する際、その重心が転動通路の外側に位置するようになる。したがって、速度の低下した遊技球を、排出部から確実に排出することができる。一方、遊技球の速度が高い場合（勢いの強い場合）には、転動面を伝って排出部を通過させることが可能である。
【０００９】
手段３は、前記手段１または前記手段２の構成に加え、前記転動面は、上下方向に略円弧状に湾曲した形状をなし、転動方向における前記転動面の略中央部分に前記排出部が形成されていることを特徴とする。
【００１０】
前記手段３によると、遊技球は、略円弧形状に湾曲した転動面に従い、孤を描きながら左右方向に繰返し転動する。そして、排出部は、転動面の略中央部分、すなわち略円弧形状の最下点に形成されているため、遊技球を、その速度が最高の状態で排出部に至らせることが可能となる。
【００１１】
手段４は、前記手段１乃至前記手段３のいずれかの構成に加え、前記転動面の前方に第二転動面が並設されていることを特徴とする。
【００１２】
前記手段４によると、排出部における転動通路の幅が、他の部分よりも狭くなっていることから、遊技球を左右方向に排出することが可能となる。このため、左右方向における勢いを維持したまま、換言すれば左右方向への運動エネルギーを維持したまま、転動面から第二転動面に遊技球を移動させることができる。このため、第二転動面において遊技球を左右方向に大きく転動させることが可能になる。
【００１３】
【発明の実施の形態】
以下、本発明をパチンコ遊技機に具体化した一実施形態について、図１乃至図１０に基づき説明する。図１はパチンコ遊技機の構成を示す概略正面図であり、図２乃至図４はパチンコ遊技機における本体枠の構成を示す正面図、斜視図、及びＡ−Ａ断面図である。図１に示すように、パチンコ遊技機２の遊技盤３には、誘導レール４によって遊技領域５が区画形成されている。誘導レール４は、発射ハンドル６の操作に対応して、発射装置（図示しない）から発射された遊技球７を、遊技領域５の上部に導くためのものである。遊技領域５には、普通入賞口８、始動口９、及び大入賞口１０が夫々設けられている。また、遊技領域５の略中央部分には、特別図柄表示装置１２（以下単に「表示装置１２」という）が組み込まれた本体枠１３が配設されている。そして、この本体枠１３により特別遊技領域１４が区画形成されている。
【００１４】
普通入賞口８、始動口９、及び大入賞口１０は、遊技盤３の払出し装置（図示しない）に接続されている。払出し装置は、遊技球７の各入賞口８，９，１０への入賞に伴い所定数の賞球を払い出す払出しモータ１５（図１０参照）を備えている。なお、始動口９は、遊技球７の通路の入口を狭めたり拡げたりするための羽根１６、及び通路内に遊技球７が入球したことを検出する始動口用スイッチ１７（図１０参照）等から構成されている。また、大入賞口１０は、始動口９の下方に位置しており、横長空間である入賞領域（図示しない）、開閉部材としてのシャッタ１８、これを開閉させるためのソレノイド１９（図１０参照）、及び入賞領域に入賞した遊技球７を計数するためのカウントスイッチ２０等から構成されている。つまり、ソレノイド１９はシャッタ１８に駆動連結されており、通電に伴う励磁によりシャッタ１８を前方へ倒して入賞領域を開放し、通電停止に伴う消磁によりシャッタ１８を起立させて入賞領域を閉鎖する。なお、大入賞口１０は、大当たり遊技状態の発生に伴い、閉鎖状態から開放状態に切替えられる。
【００１５】
この他、パチンコ遊技機２には、遊技効果を高めることを目的として、スピーカ２１（図１０参照）と、装飾用発光素子としての複数のランプ２２が組み込まれている。スピーカ２１は、遊技の進行状態に合わせて効果音を発したり、その効果音の種類を変えたりする。ランプ２２としては、例えば風車ランプ、飾りランプ、袖ランプ、サイドランプ等既知のものが挙げられ、これらは遊技の進行状態に合わせて光放射の態様を変える。
【００１６】
表示装置１２は、液晶ディスプレイ（ＬＣＤ）を備えている。なお、ＬＣＤに代えて、ＣＲＴ、ドットマトリックス、発光ダイオード（ＬＥＤ）、エレクトロルミネセンス（ＥＬ）、蛍光表示管等が用いられてもよい。表示装置１２の画面には、例えば、互いに左右方向に配置された三つの図柄列（左図柄列、中図柄列、右図柄列）が表示される。各図柄列は、複数種類の図柄からなり、数字、キャラクタ、及びそれらを組合せたもの等がある。
【００１７】
表示装置１２では、各図柄列での図柄の変動が、遊技球７の始動口９への入賞に基づき一斉に開始される。図柄の変動は所定の停止順、例えば左図柄列、右図柄列、中図柄列の順に停止される。そして、全図柄列の変動が停止したとき、表示されている図柄（停止図柄）の組合せが、予め定められた大当たりの組合せ、すなわち同一種類の停止図柄が大当たりラインに沿って並んでいる組合せ（例えば「７」，「７」，「７」）となる場合がある。大当たりの組合せが成立すると、大入賞口１０の入賞領域が開放し、遊技者は多くの賞球を獲得することが可能になる。
【００１８】
本体枠１３（一般にセンターフレームとも言う）は、図２乃至図４に示すように、天井部２３、側部２４、及び下部２５から構成され、中央に窓部１３ａが形成されている。また、本体枠１３の後部には、窓部１３ａに表示装置１２を取付けるための取付部材（図示しない）が設けられている。天井部２３には保留ランプ２６ａ及び風車２６ｂを含む天飾り２６が設けられ、その上面には遊技球７を特別遊技領域１４に入球させるための入口部２７が形成されている。また天飾り２６の左右両側には肩飾り２８が設けられている。そして、入口部２７から入球された遊技球７は、天飾り２６及び肩飾り２８の内部に形成された通路２９に従って左右斜め下方へ案内されるようになっている。
【００１９】
本体枠１３における下部２５の上面には転動部３０が形成されており、その転動部３０において、遊技球７の挙動すなわち左右方向への転動を視認することができるようになっている。さらに、左右両側部２４には、通路２９と転動部３０とを連通するための誘導器３１が設けられている。
【００２０】
転動部３０及び誘導器３１の具体的な構成について、図５乃至図８に基づき説明する。ここで、図５は転動部３０及び誘導器３１の構成を示す斜視図であり、図６は転動部３０の構成を示す平面図であり、図７は同じく正面図である。また、図８は図６に示す転動部３０の断面図であり、（ａ）はＡ−Ａ断面、（ｂ）はＢ−Ｂ断面、（ｃ）はＣ−Ｃ断面を示している。
【００２１】
転動部３０は、上下方向に略円弧状に湾曲し前方に向って階段状に形成された横長の部材である。この転動部３０は、互いに前後方向に並設された後側転動面３５及び前側転動面３６を具備している。図６に示すように、後側転動面３５は、後縁が直線状で、前縁が円弧状の平面形状をなしており、転動通路Ｔ１を形成している。また、転動通路Ｔ１は、転動方向（紙面左右方向）における中央部分の幅Ｌ１が最も狭く、端部に向う程広くなっている。なお、中央部分の幅Ｌ１は遊技球７の直径Ｄよりも狭くなっている。
【００２２】
また、図８（ａ），（ｂ）に示すように、後側転動面３５は後方に向って下り傾斜した傾斜面となっており、後側転動面３５の後縁にはガイド壁３９が立設されている。ただし、図８（ｃ）に示すように、後側転動面３５の中央部分は、前方に向って僅かに下り傾斜した斜面となっており、遊技球７をこの斜面から前方に排出することを可能にしている。つまり、この斜面により遊技球７を排出するための後側排出部４０が構成されている。なお、後側転動面３５における後方への傾斜度合は、端部側が最も大きく中央部分に向って徐々に弱くなるように連続的に変化している。具体的な数値を挙げると、後側転動面３５の傾斜は、水平線に対する後方下り傾斜をプラスとした場合、図８（ａ）に示すＡ−Ａ断面では７．７°、図８（ｂ）に示すＢ−Ｂ断面では６．４°、図８（ｃ）に示すＣ−Ｃ断面では−４．０°となっている。また、ガイド壁３９の表面には、摩擦係数の小さな樹脂製のシール部材３８が貼着されており（図６参照）、遊技球７が持つ運動エネルギーの損失を抑制している。ここで、後側転動面３５が本発明の転動面に相当し、後側排出部４０が本発明の排出部に相当する。
【００２３】
前側転動面３６は、後縁及び前縁がともに後方に向って略円弧状に湾曲した形状をなしているが、前縁の方が後縁（後側転動面３５の前縁に一致）よりも曲率半径が小さくなっている。つまり、前側転動面３６における転動通路Ｔ２は、中央部分の幅Ｌ２が最も狭く、端部に向う程幅広くなっている。なお、中央部分の前縁には窪み３６ａが形成され、転動通路Ｔ２の幅Ｌ２は遊技球７の半径よりも狭くなっている。したがって、従来の転動部（すなわち後側転動面の前縁を端部に合わせて直線状に形成し、且つ前側転動面の前縁を端部に合わせて直線状に形成したもの）に比べ、前側転動面３６における中央部分の前方に、空間Ｓが形成されることになる。本実施形態では、この空間Ｓに後述する制動室４３、誘導部４４、及び第二転動部４７が配置されている。
【００２４】
また、図８（ａ），（ｂ），（ｃ）に示すように、前側転動面３６は後方に向って下り傾斜した傾斜面となっており、特にその傾斜度合は、中央部分（(Ｃ)参照）が最も大きく、端部側に向かうほど小さくなるように連続的に変化している。具体的な数値を挙げると、前側転動面３６の傾斜は、水平線に対する後方下り傾斜をプラスとした場合、図８（ａ）に示すＡ−Ａ断面では４．６°、Ｂ−Ｂ断面では５．６°、Ｃ−Ｃ断面では１６°となっている。なお、前側転動面３６の中央部分は後方に向って下り傾斜しているものの、その幅Ｌ２が遊技球７の半径よりも狭いため、前側転動面３６の中央部分を通過する遊技球７を前縁から排出することが可能である。つまり、この中央部分により遊技球７を排出するための前側排出部４１が構成されている。ここで、前側転動面３６も本発明の転動面に相当し、前側排出部４１も本発明の排出部に相当する。なお、後側転動面３５を転動面とした場合、前側転動面３６は本発明の第二転動面としても機能している。
【００２５】
また、後側転動面３５と前側転動面３６とを比較すると、中央部分（図８（ｃ）参照）では後側転動面３５の方が高いが、端部付近（図８（ａ）,(ｂ)参照）では逆に前側転動面３６の方が高くなっている。すなわち、上下方向に湾曲する二つの転動面３５，３６の曲率半径は、後側転動面３５の方が前側転動面３６よりも大きくなっている。換言すれば、後側転動面３５の方が前側転動面３６より傾斜が緩やかになっている。
【００２６】
前側転動面３６の前方には、制動室４３及び二つの誘導部４４が形成されている。制動室４３は、遊技球７が一つ収容される程度の大きさの空間であり、上面及び前面が開放されるとともに、底面４３ａが前方に向って下り傾斜している。また、誘導部４４は、前側転動面３６から排出される遊技球７を制動室４３の上面（開放部分）に導くための部材であり、制動室４３に向って傾斜した傾斜面４５と、傾斜面４５の前縁から立設された前壁部４６とから構成されている。さらに、制動室４３及び誘導部４４の前方には、上下方向に円弧状に湾曲した第二転動部４７が形成されている。なお、転動方向における第二転動部４７の中央部分には排出部４７ａが形成されており、この排出部４７ａと制動室４３の底面４３ａとが連続した面になっている。
【００２７】
一方、誘導器３１は、入口部２７から入球した遊技球７を、転動部３０に誘導するためのものである。この誘導器３１は、図５に示すように、互いに対向して配置された梯子部材５０と壁材５１とから構成されている。梯子部材５０は、鉛直方向に立設された一対の支柱５２、及びこれらの間に架設された複数の横桟５３等を備えている。なお、梯子部材５０の下端にはガイド片５５が延設されており、出口３２から排出される遊技球７の方向を規制している。また、一対の支柱５２と各横桟５３とによって囲まれた開口部分は遊技球７が通り抜けない大きさになっている。
【００２８】
誘導器３１における壁材５１の表面には、奥側に向って略円弧状に窪んだ窪み５９が上端から下端まで連続して形成されている。また、その窪み５９内には、前方に突出する略三角形状の突起部６０が上下方向に所定の間隔で形成されている。この突起部６０の間隔は、梯子部材５０における横桟５３の間隔と等しくなっている。
【００２９】
梯子部材５０及び壁材５１は、遊技球７の直径Ｄよりも狭い間隔で、且つ梯子部材５０における横桟５３と、壁材５１における突起部６０とが互い違いになるように配置されている。このため、誘導器３１を通過する遊技球７は、互い違いに形成された横桟５３と突起部６０とに交互に衝突しながら落下する。つまり遊技球７は減速されながら落下することになり、転動部３０における後側転動面３５の端部へ減速された状態で導かれる。なお、誘導器３１の出口３２はガイド壁３９の延長上に位置している。また、出口３２の床面は、後側転動面３５の端部より高くなっている。すなわち、出口３２と後側転動面３５との間に段部４２が形成されている。
【００３０】
ところで、図１０に示すように、パチンコ遊技機２には主制御基板６３が組込まれ、この主制御基板６３に、各種スイッチ、保留ランプ２６ａ、及びソレノイド１９等が接続されている。また、主制御基板６３には、表示制御基板６６を介して表示装置１２が接続され、音声制御基板６４を介してスピーカ２１が接続されている。さらに主制御基板６３には、ランプ制御基板６５を介してランプ２２が接続され、払出し制御基板６７を介して払出しモータ１５が接続されている。
【００３１】
各制御基板６３〜６７は、所定の制御プログラムや初期データを予め記憶した読出し専用メモリ（ＲＯＭ）、このＲＯＭに記憶された制御プログラムに従って各種演算処理を実行する中央処理装置（ＣＰＵ）、及びＣＰＵによる演算結果を一時的に記憶するランダムアクセスメモリ（ＲＡＭ）等を備えている。
【００３２】
次に、転動部３０における遊技球７の動きについて図５及び図９に基づき説明する。入口部２７から入球した遊技球７は、誘導器３１による誘導通路を通って、転動部３０の後側転動面３５の端部に案内される。ここで、誘導器３１の出口３２は、ガイド壁３９の延長上に配置されているため、出口３２から放出される遊技球７はガイド壁３９に沿うように導かれる。これにより、遊技球７がガイド壁３９に勢いよく衝突することが防止され、ガイド壁３９での跳ね返りによる転動方向の変化が抑制される。
【００３３】
後側転動面３５に導かれた遊技球７は、後側転動面３５の転動通路Ｔ１の形状に従って孤を描きながら左右方向に繰り返し転動する。つまり、遊技球７はエネルギー保存の法則に基づいた揺動運動を行う。この際、後側転動面３５は後方に向って下り傾斜しているため、遊技球７は、この傾斜面に従って後方へ転動する力が加えられ、その結果、ガイド壁３９に沿って転動するようになる。これにより、後側転動面３５の前縁からの遊技球７の逸脱が抑制される。
【００３４】
また、後側転動面３５において遊技球７同士が衝突した場合には、一方または双方の遊技球７の転動方向が変化し、後側転動面３５の前縁に向って転動する。後側転動面３５の前縁には壁部が形成されていないため、転動方向が変化した遊技球７は、比較的容易に後側転動面３５から逸脱し、前方へ放出される。つまり、後側転動面３５上に多くの遊技球７が溜まることがなくなる。
【００３５】
後側転動面３５では、遊技球７は転動通路Ｔ１及びガイド壁３９に沿って転動するが、中央部分の後側排出部４０は前方に向う僅かな下り傾斜となっているため、遊技球７の速度が低下すると、転動方向が前方寄りに変化する。しかも後側排出部４０の幅Ｌ１は遊技球７の直径Ｄよりも狭いため、遊技球７は速度の低下に伴い容易に排出される。
【００３６】
ここで、後側排出部４０は前側転動面３６の前側排出部４１よりも高いため、後側排出部４０から排出された遊技球７は、前側排出部４１へ移動する。この際、遊技球７の勢いが強い場合には、遊技球７は前側転動面３６の形状に従って孤を描きながら左右方向に転動し、前側転動面３６の端部付近に至る。なお、前側転動面３６の前側排出部４１は、前方に向って上り傾斜しているため前側転動面３６に移動した遊技球７は、前方への転動が抑制される。このため、前方への勢いが強い遊技球７であっても、そのまま前側転動面３６の前縁から排出されてしまうことを防止できる。ところで、前側転動面３６に移動した遊技球７は、左右方向への運動に対して前方への運動が加わるため、遊技球７はそれらの運動の合成方向である、斜め前方へ転動することになる。つまり、前側転動面３６上を転動する際、遊技球７は前側排出部４１から端部付近に向う程、後側転動面３５から離れるようになる。しかし、本実施形態では前側転動面３６の幅が、端部付近に向う程広くなっているため、遊技球７が端部付近に至るまで、前側転動面３６からの遊技球７の逸脱が効果的に抑制される。
【００３７】
一方、端部側では前側転動面３６が後側転動面３５よりも高く、しかも前側転動面３６は後方に向って下り傾斜していることから、前側転動面３６の端部付近に到達した遊技球７は、前側転動面３６から後側転動面３５へ移動する。つまり、遊技球７が二つの転動面３５，３６の間で往復動することになる。なお、遊技球７の勢いが弱い場合等、遊技球７が端部付近まで到達しない場合には、前側排出部４１から排出される。特に、前側排出部４１の幅は遊技球７の半径よりも狭いため、遊技球７が前側排出部４１を通過する際、その重心が前側排出部４１の前縁よりも前方に位置することになる。したがって、遊技球７の速度が低い場合には、遊技球７は前側排出部４１から確実に排出される。なお、遊技球７の速度が高い場合には、前側排出部４１を通過する場合もあり、この場合には前側転動面３６上を左右方向に繰返し転動する。
【００３８】
前側転動面３６の前側排出部４１から排出された遊技球７は、誘導部４４の傾斜面４５に導かれて制動室４３に投入される。ここで、誘導部４４の前縁には前壁部４６が立設されているため、前側排出部４１から排出される遊技球７の勢いが強い場合でも誘導部４４から逸脱することなく、制動室４３の上面に案内される。また、制動室４３の上部側における側壁４３ｂが上方に向って拡開されているため、例えば制動室４３の左右に配置された誘導部４４によって二つの遊技球７が略同時に誘導された場合でも、互いに衝突する恐れが少なくなり滑らかに投入される。なお、前側排出部４１から排出される遊技球７の位置が制動室４３の位置に合致している場合には、誘導部４４を介することなく制動室４３に直接投入される。
【００３９】
制動室４３の上面から投入された遊技球７は、制動室４３によって転動が抑えられる。つまり、制動室４３の横幅が遊技球７の直径Ｄと略一致しているため、遊技球７は制動室４３の内部で左右方向に転動することなく、一瞬停止状態となる。その後、遊技球７は制動室４３の底面４３ａの傾斜に従って前方に放出される。ところで、制動室４３及び誘導部４４の前方には、第二転動部４７が形成されており、第二転動部４７の排出部４７ａと制動室４３の底面４３ａとが互いに連続する面となっているため、制動室４３から放出された遊技球７は、第二転動部４７の排出部４７ａを横切って始動口９（図１参照）の方向に流下する。このように、遊技球７は制動室４３によって放出方向が規制されることから、転動部３０において転動した遊技球７の殆ど全てが、始動口９に入賞することになる。
【００４０】
このように上記のパチンコ遊技機２では、各転動面３５，３６における排出部４０，４１の転動通路Ｔ１，Ｔ２の幅が他の部分の転動通路Ｔ１，Ｔ２の幅よりも狭いことから、排出部４１の前方のスペースを増加させることができる。つまり、転動部３０全体を大型化することなく、制動室４３、誘導部４４、及び第二転動部４７等を、前側排出部４１の前方に形成することができる。したがって、遊技者に前側排出部４１から排出される遊技球７の挙動を十分に楽しませることができる。
【００４１】
また、上記のパチンコ遊技機２によれば、遊技球７を排出させるために開口等を設ける必要がないことから、遊技球７を滑らかに転動させることが可能になり、後側排出部４０による速度の低下を抑制できる。このため、左右方向に大きく転動させることが可能となり、遊技球７の挙動を十分に楽しませることができる。また、極めて簡単な構造で容易に遊技球を排出させることができる。
【００４２】
さらに上記のパチンコ遊技機２では、後側転動面３５の後側排出部４０から前側転動面３６へ、遊技球７が略左右方向に排出されるため、左右方向における勢いを維持したまま、前側転動面３６（本発明の第二転動面に相当）に遊技球７を移動させることができる。このため、前側転動面３６において遊技球７を左右方向に大きく転動させることができる。
【００４３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４４】
すなわち、上記実施形態のパチンコ遊技機２では、転動部における転動面として後側転動面３５及び前側転動面３６を示したが、転動面の数は特に限定されるものではなく、一つのみであってもよく、三つ以上を並設したものであってもよい。
【００４５】
また、上記実施形態のパチンコ遊技機２では、前側転動面３６の前方の空間Ｓに、制動室４３及び誘導部４４等を形成するものを示したが、空間Ｓに配設される機構や構造は、前側排出部４１から排出される遊技球７の挙動に関連するものであれば特に限定されるものではなく、例えば風車や入賞口であってもよい。
【００４６】
上記実施形態では、遊技機として、表示装置１２を備えたパチンコ遊技機２を示したが、表示装置１２を備えないパチンコ遊技機は勿論、パチンコ遊技機以外の遊技機、例えばアレパチ、アレンジボール等であっても適用することができる。
【００４７】
【発明の効果】
以上のように、本発明によれば、転動部における排出部の転動通路の幅が他の部分の転動通路の幅よりも狭いことから、排出部の前方のスペースを増加させることができ、例えば排出部から排出された遊技球に別の動きをさせるための機構や構造を配設することが可能となる。このため、限られたスペースの中で、設計上の自由度を高めることができ、遊技者に対して転動部における遊技球の挙動を十分に楽しませることができることにより、興趣を飛躍的に向上することができる。
【図面の簡単な説明】
【図１】本発明の一実施形態であるパチンコ遊技機を示す概略正面図である。
【図２】パチンコ遊技機における本体枠の構成を示す正面図である。
【図３】本体枠の構成を示す斜視図である。
【図４】図２に示す本体枠のＡ−Ａ断面図である。
【図５】本体枠における要部の構成を示す斜視図である。
【図６】転動部の構成を示す平面図である。
【図７】転動部の構成を示す正面図である。
【図８】転動部の構成を示す縦断面図である。（ａ）はＡ−Ａ断面、（ｂ）はＢ−Ｂ断面、（ｃ）はＣ−Ｃ断面を示している。
【図９】転動部における遊技球の動きを説明するための説明図である。
【図１０】パチンコ遊技機の電気的構成を示すブロック図である。
【符号の説明】
２  パチンコ遊技機（遊技機）
７  遊技球
３０  転動部
３５  後側転動面(転動面)
３６  前側転動面（転動面，第二転動面）
４０  後側排出部（排出部）
４１  前側排出部（排出部）
Ｄ  直径
Ｌ１，Ｌ２  幅
Ｔ１，Ｔ２  転動通路
【図１】
0004114516.tif 000002
【図２】
0004114516.tif 000003
【図３】
0004114516.tif 000004
【図４】
0004114516.tif 000005
【図５】
0004114516.tif 000006
【図６】
0004114516.tif 000007
【図７】
0004114516.tif 000008
【図８】
0004114516.tif 000009
【図９】
0004114516.tif 000010
【図１０】
0004114516.tif 000011